(57)【要約】  本発明は、情報記憶媒体中のイメージを統合する方法に関する。異なるアングルでのショットを提供する、異なる場所に設けられたセンサによって記録されたシーンのイメージを使用して、そのシーンのショットごとにイメージの時系列的シリーズを決定し、これらの時系列的シリーズを記憶媒体のトラックに多重的又は並列に記録する。記憶媒体に記憶されたこれらの時系列的シリーズの一つ以上のランダムに選択されたアルゴリズムを決定し、この記憶媒体を、アルゴリズムの具現化によってこれらの時系列的シリーズの自動的かつランダムな連続表示を可能にするようにプログラムする。表示は、所定期間後又は手動操作によって停止するように構成されている。
2007522597.tif 000002
【特許請求の範囲】
【請求項１】
情報記憶媒体中のイメージを統合する方法であって、異なるアングルから撮影されたピクチャショットを与える、異なる場所に設けられたセンサによって撮影されたシーンのイメージに基づき、
そのシーンのピクチャショットそれぞれに関してイメージの時系列的シリーズを決定し、
前記時系列的シリーズを前記媒体のトラックに多重的又は並列に記録し、
これらの時系列的シリーズをランダムに選択するための一つ以上のアルゴリズムを決定し、前記記憶媒体に記憶し、
前記媒体を、アルゴリズムの具現化によって前記時系列的シリーズの自動的かつランダムな連続表示を可能にするようにプログラムし、表示が、所定期間後又は手動操作によって停止するように構成されていることを特徴とする方法。
【請求項２】
シーンから独立したピクチャショットが表示に加えられることを特徴とする、請求項１記載の方法。
【請求項３】
情報記憶媒体に基づいてビジュアルシーンを再生する方法であって、
異なる場所に設けられたセンサによって異なるピクチャアングルから撮影され、前記媒体のトラックに多重的又は並列に記録されたシーンのイメージと、このように記憶されたシーンの各トラックのイメージの、確立されている時系列的シリーズと、前記媒体に記憶されているこれらの時系列的シリーズをランダムに選択するための一つ以上のアルゴリズムとに基づき、
前記アルゴリズムの具現化によって前記時系列的シリーズの連続表示を自動的かつランダムに実施し、
所定期間後又は手動操作によって表示を止めることを特徴とする方法。
【請求項４】
連続的な時系列的シリーズがビジュアルシーンの進行の時系列的順序で様々なトラックからランダムに選択されることを特徴とする、請求項１〜３のいずれか１項記載の方法。
【請求項５】
前記シーンと同期化した音声スコアがビジュアルシーンと同時に再生されることを特徴とする、請求項１〜４のいずれか１項記載の方法。
【請求項６】
シーンから独立したピクチャショットが表示に加えられることを特徴とする、請求項１〜５のいずれか１項記載の方法。
【請求項７】
情報媒体がＤＶＤディスクであることを特徴とする、請求項１〜６のいずれか１項記載の方法。
【請求項８】
自動化かつランダムに他のものと交互に並んだアングルの一つ以上に関する優先制約が導入されることを特徴とする、請求項１〜７のいずれか１項記載の方法。
【請求項９】
異なる場所に設けられたセンサによって異なるピクチャアングルから撮影されたシーンのイメージを多重的又は並列に記録された複数のトラックを含む情報記憶媒体を含む、ビジュアルシーンを再生するためのシステムであって、
このように記憶されたシーンの各トラックのイメージの時系列的シリーズが確立されており、前記媒体がさらに、これらの時系列的シリーズをランダムに選択するための、前記時系列的シリーズを自動的かつランダムに連続表示するように構成された一つ以上のアルゴリズムを記憶するためのレジスタと、所定期間後又は手動操作によって表示を停止するための手段とを含むことを特徴とするシステム。
【請求項１０】
情報媒体がＤＶＤであることを特徴とする、請求項９記載のシーンを再生するためのシステム。
【請求項１１】
情報媒体がコンピュータハードディスクであることを特徴とする、請求項９記載のシステム。
【請求項１２】
ビジュアルシーンと同時に前記シーンと同期化した音声スコアを再生するための手段を含むことを特徴とする、請求項９〜１１のいずれか１項記載のシステム。
【発明の詳細な説明】
【技術分野】
【０００１】
本発明は、情報記憶媒体中のイメージを統合する方法に関する。
【０００２】
また、本発明は、情報記憶媒体に基づいてビジュアルシーンを再生する方法及びそのような方法を使用してビジュアルシーンを再生するためのシステムに関する。
【０００３】
本発明は、とりわけリアルタイム（「ライブ」）のスポーツイベント、コンサート又は任意のビジュアルシーンに関する、ＤＶＤに記憶されたフィルムのランダムかつ自動的な表示の分野で特に重要な、ただし排他的ではない用途を見いだす。
【０００４】
本発明はまた、有利には、たとえば家族の催しの際にデジタルカメラによって撮影された、後でコンピュータ上で見直したり、ＤＶＤに焼き付けたりすることができるいくつかのシーンの統合に適用可能である。
【０００５】
異なる場所に設けられたセンサによって撮影されたシーンを一つの同じ媒体から表示することを可能にする装置はすでに公知である。
【０００６】
このような装置又はこのような装置が実現する方法は融通が利かない。
【０００７】
表示媒体のユーザによる手動介入なしには、シーンが表示されるアングルを変えることができない。
【０００８】
一般に認められるとおり、情報媒体及びそれに関連する表示手段における急速な進歩は、今日までに、ユーザアクセス（たとえばメニューによる）の多くの可能性を統合することを可能にした。
【０００９】
他方、従来、様々なアングルから撮影された一つの同じシーンにランダムにアクセスして、そのたびごとに異なるランダムなやり方で、ユーザが新たなフィルムを見ているかのごとく表示し直す利点又は可能性が考えられたことはない。
【００１０】
換言するならば、本発明が開発された概念は、いくつかのビデオストリームの中からランダムに選択された異なる撮影アングルの連続的な起動を自動化して、それにより、同じ動画シリーズ又はシーケンスを使用しながらもそのたびことに異なるフィルムの視聴を不確定的かつランダムに許す可能性に基づく。
【００１１】
この目的をもって、本発明は、特に、情報記憶媒体中のイメージを統合する方法であって、異なるアングルから撮影されたピクチャショットを与える、異なる場所に設けられたセンサによって撮影されたシーンのイメージに基づき、
そのシーンのピクチャショットそれぞれに関してイメージの時系列的シリーズを決定し、
前記時系列的シリーズを前記媒体のトラックに多重的又は並列に記録し、
これらの時系列的シリーズをランダムに選択するための一つ以上のアルゴリズムを決定し、前記記憶媒体に記憶し、
前記媒体を、アルゴリズムの具現化によって前記時系列的シリーズの自動的かつランダムな連続表示を可能にするようにプログラムし、表示が、所定期間後又は手動操作によって停止するように構成されていることを特徴とする方法を提案する。
【００１２】
有利には、情報媒体は、ＤＶＤディスク及び／又はコンピュータハードディスク及び／又はメモリカード（たとえば「コンパクトフラッシュ（登録商標）」又は「スマートメディア」の名称で知られるカード）である。
【００１３】
本発明はまた、情報記憶媒体に基づいてビジュアルシーンを再生する方法であって、
異なる場所に設けられたセンサによって異なるピクチャアングルから撮影され、前記媒体のトラックに多重的又は並列に記録されたシーンのイメージと、このように記憶されたシーンの各トラックのイメージの、確立されている時系列的シリーズと、前記媒体に記憶されているこれらの時系列的シリーズをランダムに選択するための一つ以上のアルゴリズムとに基づき、
前記アルゴリズムの具現化によって前記時系列的シリーズの連続表示を自動的かつランダムに実施し、
所定期間後又は手動操作によって表示を止めることを特徴とする方法を提案する。
【００１４】
また、有利には、以下の一つ以上の規定に基づく。
連続的な時系列的シリーズはビジュアルシーンの進行の時系列的順序で様々なトラックからランダムに選択され、
前記シーンと同期化した音声スコアがビジュアルシーンと同時に再生され、
シーンから独立したピクチャショットが表示に加えられ、
自動化かつランダムに他のものと交互に並んだアングルの一つ以上に関する優先制約が導入される。
【００１５】
本発明はまた、上述の方法を具現化するシステムを提案する。
【００１６】
本発明は、非限定的な実施例として以下に記す実施態様を読むことによってさらに理解されよう。
【００１７】
本発明は添付図面を参照する。
【００１８】
図１は、たとえば音声記録手段４と関連したイメージセンサ３によって記録されたシーン２からのイメージを統合し、再生するためのシステム１を示す。
【００１９】
センサ３は、たとえば、シーン２を異なる撮影アングルから撮影することができるような方法で設けられたデジタルビデオカメラである。
【００２０】
イメージ及び音声は、以下に詳述するプログラミングアルゴリズムを具現化するためのレジスタ６を含むコンピュータ手段５により、ここではコンピュータ８のハードディスクからなる第一の情報記憶媒体７に記録される。
【００２１】
このハードディスク７に基づき、多重化されたイメージ及び音声は、本発明にしたがって自動的かつランダムに、ビデオスクリーン９を介してユーザに直接再生される。
【００２２】
ここでさらに詳細に、ただし全く非限定的に記載する実施態様では、第二の情報媒体、この場合はＤＶＤディスク１０が記録され、これによりフレキシブルであるスクリーン１１による使用及び再生を許す。
【００２３】
図２には、異なるアングル、たとえば四つの異なるアングルから撮影されたビジュアルシーンの多重化記録１２が図式的に示されている。
【００２４】
アングルの数は限定されない。また、有利には、ＤＶＤの焼付けのために現在採用されているビデオトラックの数に対応するよう、９であってもよい。
【００２５】
第一のシーケンス１３に対応する一つの同じシーンの場合、それぞれが異なるピクチャアングルに対応するたとえば１５のイメージ期間のためのピクチャショット１４、１５、１６、１７が多重化的に媒体に記憶される。
【００２６】
多重化は、ＭＰＥＧ−２規格で実際にはＤＶＤ上の秒数についてというよりむしろイメージ数についてカウントされるエンコーディングのＧＯＰ（Group of Pictures）期間に依存している。
【００２７】
次に、それ自体公知の方法で実施される多重化プログラミングの関数として、時系列的に、かつ、直前のピクチャショット１４、１５、１６、１７に対して連続的に位置するピクチャショット１９、２０、２１、２２の同一又は異なる期間、たとえば約２０秒の第二のシーケンス１８が続いて媒体に記憶される。
【００２８】
各ピクチャショット１４、１５、１６、１７、１９、２０、２１、２２は、後でプログラムがランダムに利用するレジスタの中でカタログに入れられ、識別され、しかし、シーケンスの時系列に従いながら、そのものは公知である乱数又は擬似乱数を生成するためのアルゴリズムのおかげでランダムに得られた異なるピクチャアングル２４、２５、２６又は同一のピクチャアングル２４′、２４″、２５′、２６′などに対応する連続的な画像のフィルム２３を構成する（図３を参照）。
【００２９】
使用可能なアルゴリズムは、たとえば、以下のように定義される。
【００３０】
ｆ（ｘ）＝ｙ（ランダム関数として）とすると、すべての解ｙは、以下の条件で等確率である（したがって、繰り返しがあってもよい）。
ｘ≧ｙ≧１
ｘ∈Ｎ＋
ｙ∈Ｎ＋
【００３１】
有利には、同時に、連続シーケンスに対応する音声テープ２７が生成される。
【００３２】
次に、図４を参照しながら、本発明の実施態様のイメージを統合（「オーサリング」）してＤＶＤでそのイメージをランダムに見ることを許す方法のプログラミングの原理を説明する。
【００３３】
ここでは、アメリカSONIC社のいわゆる「Sonic Solution」解法を使用する。これは、「First Play」２８、「Video Manager」３１及び「Title as multi angle」３４と呼ばれる三つのソフトウェアブリックで構成されている。
【００３４】
プログラミングは次のように実行される。
【００３５】
まずはじめに、「First Play」ブリック２８を実行する（一般にはフィルムの導入）。これは、ＤＶＤがリーダに挿入されているときＤＶＤが行うことを決定するのを可能にするコードである。これは、レジスタ２９及び次のブリックである「Video Manager」３１へのリンク３０を含む。
【００３６】
「Video Manager」ブリックの最後に、ブリック３４を、ひいては表示されるフィルムを実行（矢印３３）する「jump Title」機能３２が提供される。
【００３７】
本実施態様では、ＧＰＲＭ（汎用パラメータ）は、０〜９９９９９の正の整数値だけを含むことができる変数である。
【００３８】
そして、フィルムが始まる直前に、たとえば、「Set Random number X」と題するコード３５の起動が起こる。
【００３９】
数Ｘは、実行の際に実際に使用されるアングルの数（現在のＤＶＤ規格の場合、最大で９のアングル）に一致する。
【００４０】
この数は、プログラミング中、所望又は利用可能なアングルの数に依存して決まる。
【００４１】
「乱数」は、「Sonic Solution」プログラムのＧＰＲＭ（アングルの変数／指数）の名称「Set Stream Angle by Random parameter」に対応する。
【００４２】
このようにして、フィルムの実行時に採用される第一のアングルが決められる。Random＝２ならば、フィルムはアングルNo.２で始まる。
【００４３】
ここで、本発明により、システムのプログラミングが、ランダムな開始アングルを確立することを可能にする初期コマンドを処理しなければならないことに留意することが重要である。
【００４４】
そうでなければ、常に同じ開始アングル（デフォルトNo.１）であることになる。
【００４５】
ひとたびこれらの機能が開始されると、コードがフィルムに統合されながら、フィルムの進行中にプログラミング全体が実施される。
【００４６】
このコードは、最後に、フィルムの始まりに戻り、したがってフィルムを無限にループさせることを可能にする、先に記載したタイプの「JumpTitle」リンク３６を含む。
【００４７】
この実施態様では、「Title」の中心（プログラミング区域に相当）のイメージをダブルクリックすると、図５に対応する、「Presentation editor」と題するスクリーン４０が現れる。
【００４８】
Sonicプログラムのこのスクリーンで、ビデオソースが、ストリーム（４１〜４９）のうち、アングルの一つに対応する、自動的かつランダムに起動される各ストリームに配置される。音声は第一のオーディオトラック５０（最大８トラック）に配置される。
【００４９】
ここでさらに詳細に記載する本発明の実施態様のフレームワークにおいて、事前に決定されたビデオイメージのシーケンス上の区域５２（図示しない）がいわゆる「サブピクチャ」トラック５１に生成される。
【００５０】
シーケンスは、たとえば、１５イメージに等しいものと画定される。そのうえ、各「サブピクチャ」区域は、少なくとも１秒の間隔でプログラムされ、それにより、コードを読むことを可能にしている（「サブピクチャ」トラックが１秒未満でプログラムされるならば、ＤＶＤのコンパイルは不可能であろうことに注意されたい）。
【００５１】
「サブピクチャ」トラックは、たとえば、ビデオの上に最大４色のイメージを含む。また、リンクを設けるため働くボタンを生成することを可能にする。このトラックは、トラック上でのクリック／ドラッグによって手動で構築される。
【００５２】
最後に、スクリーンはさらに、「サブピクチャ」の中にボタンが作成されると埋められる、「サブピクチャ」トラックにリンクしたいわゆる「アクション」トラック５３を含む。前記ボタンにコードが含まれる。一方、トラック１は手動で作成される。
【００５３】
ここでさらに詳細に記載する本発明の実施態様によると、アングルをランダムに変えるためには、二つの「サブピクチャ」、すなわち
一方は、ランダムな変更を作成し、それをＧＰＲＭ（変数）中に記憶するためのもの
もう一方は、ＧＰＲＭに対応するアングルを読むように働くもの
を作成することが必要である。
【００５４】
このように、乱数（「ランダム」）を有する「サブピクチャ」が、アングルの変更を有する「サブピクチャ」とで交互に示され、それがフィルムの最後まで実施される。
【００５５】
より正確には、たとえば、第一の「サブピクチャ」は、以下のようにしてプログラムされる。
【００５６】
第一の「サブピクチャ」をダブルクリックすることにより、エディタメニューが現れ、そのとき、「サブピクチャ」はデフォルトによって見えなくなる（アルファから０としての４色）。
【００５７】
ボタンの作成を続けるために、Sonicプログラムのツールが使用される。
【００５８】
続いて、「Set Random number 9」コード（９のビデオストリーム／アングルが起動される場合）をその中に統合することによって作成された、プログラムされた見えないボタンをダブルクリックし、その後、第二の「サブピクチャ」に移行する。
【００５９】
これを実施するためには、次のサブピクチャをダブルクリックする。
【００６０】
見えないボタンが新たに作成され、すると、それをダブルクリックすることによって新たなコードが導入される。ボタンの中には１本のコードしか配置することができないことに注意されたい。これが、「Random GPRM」の値に対応するアングルを読まなければならない新たな「サブピクチャ」を作成する理由である。これは、「Set Stream Angle by Random parameter」機能を含む。
【００６１】
最後に、記載するこの実施態様では、その後、フィルムの全編にわたって無限かつランダムなアクセスを開発するために、すべての「サブピクチャ」を手動で作成することが必要である。
【００６２】
したがって、ここでは、フィルム中のイメージの連鎖の全部又は一部でこの機能を起動することが可能であることが理解されよう。
【００６３】
興味深いことに、はじめは疑わずにはいられなかったが、「サブピクチャ」中のボタンの上にコードを配置することにより、音声カットオフを得ることもないし、イメージをフリーズすることもない。
【００６４】
次に、図６を参照しながら、異なる場所に設けられたセンサによって異なるピクチャアングルから撮影され、ＤＶＤの９トラックに多重化的に記録されたシーンのイメージに基づいてビジュアルシーンを再生する方法を説明する。
【００６５】
以下に指摘するように、イメージの時系列的シリーズが決定され、トラックごとにＤＶＤに記憶されており、ランダムな決定のためのアルゴリズムがＤＶＤにプログラムされている。
【００６６】
６０でＤＶＤが接続されると、６１で、ユーザがメニューにアクセスする。６２で、ＤＶＤが６３で正常に読み取られ、６４で停止するかどうかを確認するための試験が実施される。
【００６７】
そうならないならば、６５で、本発明の再生が開始する。
【００６８】
６６で、９トラックの中からイメージのシーケンスの第一の選択（１３中の１４）が実施されたのち、そのイメージシーケンスが、たとえば１５のイメージに対応するプログラムされた決定期間中、映写される（動作６７）。
【００６９】
そして、表示の終了に関する試験６８が実施される。
【００７０】
この終了を指示するものがないならば、自動的に発生するのか手動で発生させるのかにかかわらず、直前のトラックなどに時系列的に後続する９トラックのシーケンスの中から新たなシーケンスの選択（１８中の２０′）が実施され（ライン６９）たのち、７０で終了する。
【００７１】
いうまでもなく、また、前記の結果からも、本発明は、詳細に記載した実施態様に限定されることはない。それどころか、本発明は、そのすべての変形、特に媒体が、具体的に記載したもの以外のタイプである変形を包含する。
【図面の簡単な説明】
【００７２】
【図１】本発明の第一の実施態様のシステムのブロック図である。
【図２】いくつかのアングルから同時に撮影されたビジュアルシーンの多重化記録を図式的に示す図である。
【図３】本発明のアルゴリズムによってランダムに決定された模範的な時系列的シリーズを示す図である。
【図４】本発明のイメージを統合する方法の具現化を示すフローチャートである。
【図５】イメージを再生する対応する方法の具現化を示すフローチャートである。
【図６】ＤＶＤの様々なトラック及びイメージの統合又はそれに対応するプログラミングを示す画面コピーである。
【図１】
2007522597.tif 000003
【図２】
2007522597.tif 000004
【図３】
2007522597.tif 000005
【図４】
2007522597.tif 000006
【図５】
2007522597.tif 000007
【図６】
2007522597.tif 000008
【国際調査報告】
2007522597.tif 000009
2007522597.tif 000010
2007522597.tif 000011
2007522597.tif 000012
2007522597.tif 000013
2007522597.tif 000014